(57)【要約】【課題】  持ち運び時及び収納物の使用時の双方で使い勝手を向上させたバッグを提供する。【解決手段】  閉じた状態で、合わせ部１３ａ，２３ａが接着し、蓋部１２ａ，２２ａが収納ボックス１０，２０をカバーするため、収納物が飛び出ることがなく、持ち運びし易くなり、２つの収納ボックス１０，２０を１８０°回転させて開いた状態にすると、第１面１１と第１面２１が密着して、切欠部を有する第２面１５，２５が外側になるようになり、蓋部１２ｂ，２２ｂと合わせ部１３ｂ，２３ｂが接して垂直に立つようになり、収納ボックス１０，２０から文房具が取り出し易くなるバッグである。【選択図】        図９
2019017897.tif 000002
【特許請求の範囲】
【請求項１】
第１の収納ボックスと第２の収納ボックスとを備えるバッグであって、
前記第１の収納ボックス及び前記第２の収納ボックスは、第１面と、前記第１面に対向する第２面と、前記第１面と前記第２面とを接続する第１側面及び第２側面と、前記第１面の上部に形成される蓋部とをそれぞれ備え、
前記第２面同士を密着させた場合に、前記第１の収納ボックスの前記第２面と前記第１側面との接続辺と、前記第２の収納ボックスの前記第２面と前記第２側面との接続辺とを中心として当該第１側面と当該第２側面を密着させる方向に回転可能であり、当該第１側面と当該第２側面が密着した状態では、前記第１の収納ボックスの前記第１面と前記第１側面との接続辺と、前記第２の収納ボックスの前記第１面と前記第２側面との接続辺とを中心として前記第１面同士を密着させる方向に回転可能である接続部を有することを特徴とするバッグ。
【請求項２】
第２面は、上部に切欠部を備えることを特徴とする請求項１記載のバッグ。
【請求項３】
接続部は、第１の収納ボックスの第１面と第１側面の接続辺と第２の収納ボックスの第２面と第２側面の接続辺とを接続する第１接続片と、前記第２の収納ボックスの前記第１面と第２側面の接続辺と前記第１の収納ボックスの第２面と前記第１側面の接続辺とを接続する第２接続片とを有することを特徴とする請求項１又は２記載のバッグ。
【請求項４】
第２面同士を接着する接着部を前記第２面に設けたことを特徴とする請求項１乃至３のいずれか記載のバッグ。
【請求項５】
蓋部の上部に持ち手部を設けたことを特徴とする請求項１乃至４のいずれか記載のバッグ。
【請求項６】
第１面同士を接着する接着部を持ち手部に設けたことを特徴とする請求項５記載のバッグ。
【請求項７】
蓋部の上部にファスナーを形成したことを特徴とする請求項１乃至３のいずれか記載のバッグ。
【発明の詳細な説明】
【技術分野】
【０００１】
本発明は、バッグに係り、特に、机やテーブルの上に立てて使用できると共に、持ち運びに適したバッグに関する。
【背景技術】
【０００２】
［従来の技術］
従来の持ち運び可能なバッグは、持ち運び時に収納物が飛び出ないように、取り出し口にファスナーやカバーが設けられるものがあった。
【０００３】
［関連技術］
尚、関連する先行技術文献として、実開昭６２−４２５２１号公報「収納ケース」（特許文献１）、登録実用新案第３００７８０２号公報「ツーウェイバッグ」（特許文献２）、登録実用新案第３１６３６３２号公報「ティッシュ箱及び小物雑貨の収納ケース」（特許文献３）がある。
【０００４】
特許文献１には、持ち手を備え、２つの収納部を有する収納ケースが記載されている。
特許文献２には、２つの収納部を備えており、それらを接続する連結帯部を中心に反転させて異なるバッグに変身させることが記載されている。
【０００５】
特許文献３には、中央に仕切りが形成され、一方の収納部にティッシュ箱を収納して側面の開口部からティッシュを取り出し、他方の収納部に小物を収納できる収納ケースが記載されている。
【先行技術文献】
【特許文献】
【０００６】
【特許文献１】実開昭６２−４２５２１号公報
【特許文献２】登録実用新案第３００７８０２号公報
【特許文献３】登録実用新案第３１６３６３２号公報
【発明の概要】
【発明が解決しようとする課題】
【０００７】
しかしながら、上記従来のバッグでは、持ち運び時に収納物が飛び出ないような構成としつつ、収納物を使用する時に取り出し易い構成とはなっていないという問題点があった。
また、特許文献１〜３では、上記課題を解決する構成とはなっていないものである。
【０００８】
本発明は上記実状に鑑みて為されたもので、持ち運び時及び収納物の使用時の双方で使い勝手を向上させたバッグを提供することを目的とする。
【課題を解決するための手段】
【０００９】
上記従来例の問題点を解決するための本発明は、第１の収納ボックスと第２の収納ボックスとを備えるバッグであって、第１の収納ボックス及び第２の収納ボックスが、第１面と、第１面に対向する第２面と、第１面と第２面とを接続する第１側面及び第２側面と、第１面の上部に形成される蓋部とをそれぞれ備え、第２面同士を密着させた場合に、第１の収納ボックスの第２面と第１側面との接続辺と、第２の収納ボックスの第２面と第２側面との接続辺とを中心として当該第１側面と当該第２側面を密着させる方向に回転可能であり、当該第１側面と当該第２側面が密着した状態では、第１の収納ボックスの第１面と第１側面との接続辺と、第２の収納ボックスの第１面と第２側面との接続辺とを中心として第１面同士を密着させる方向に回転可能である接続部を有することを特徴とする。
【００１０】
本発明は、上記バッグにおいて、第２面が、上部に切欠部を備えることを特徴とする。
【００１１】
本発明は、上記バッグにおいて、接続部が、第１の収納ボックスの第１面と第１側面の接続辺と第２の収納ボックスの第２面と第２側面の接続辺とを接続する第１接続片と、第２の収納ボックスの第１面と第２側面の接続辺と第１の収納ボックスの第２面と第１側面の接続辺とを接続する第２接続片とを有することを特徴とする。
【００１２】
本発明は、上記バッグにおいて、第２面同士を接着する接着部を第２面に設けたことを特徴とする。
【００１３】
本発明は、上記バッグにおいて、蓋部の上部に持ち手部を設けたことを特徴とする。
【００１４】
本発明は、上記バッグにおいて、第１面同士を接着する接着部を持ち手部に設けたことを特徴とする。
【００１５】
本発明は、上記バッグにおいて、蓋部の上部にファスナーを形成したことを特徴とする。
【発明の効果】
【００１６】
本発明によれば、第１の収納ボックス及び第２の収納ボックスが、第１面と、第２面と、第１側面及び第２側面と、蓋部とをそれぞれ備え、第２面同士を密着させた場合に、第１の収納ボックスの第２面と第１側面との接続辺と、第２の収納ボックスの第２面と第２側面との接続辺とを中心として当該第１側面と当該第２側面を密着させる方向に回転可能であり、当該第１側面と当該第２側面が密着した状態では、第１の収納ボックスの第１面と第１側面との接続辺と、第２の収納ボックスの第１面と第２側面との接続辺とを中心として第１面同士を密着させる方向に回転可能である接続部を有するバッグとしているので、持ち運ぶ時は第２面同士を密着させた状態として蓋部により閉じた状態で収納物が飛び出ることを防止でき、使用時は第１面同士を密着させて第２面がそれぞれ外側にして開いた状態とし、収納物を取り出し易くできる効果がある。
【図面の簡単な説明】
【００１７】
【図１】閉じた状態の正面図である。
【図２】閉じた状態の右側面図である。
【図３】閉じた状態の左側面図である。
【図４】開いた状態の正面図である。
【図５】開いた状態の背面図である。
【図６】開いた状態の左側面図である。
【図７】使用状態１を示す概略図である。
【図８】使用状態２を示す概略図である。
【図９】使用状態３を示す概略図である。
【図１０】使用状態４を示す概略図である。
【図１１】接続部を真上から見た概略図である。
【図１２】別のバッグの開いた状態の背面図である。
【図１３】ファスナーをしめた状態の天面図である。
【図１４】ファスナーをしめた状態の右側面図である。
【図１５】本バッグの収納状態を示す概略図である。
【図１６】収納状態を示す右側面図である。
【図１７】棚に収納した例を示す図である。
【発明を実施するための形態】
【００１８】
本発明の実施の形態について図面を参照しながら説明する。
［実施の形態の概要］
本発明の実施の形態に係るバッグ（本バッグ）は、第１の収納ボックスは、第１面とそれに対向する第２面とを有し、第１面の上部には蓋部と持ち手部が形成され、第２面は、第１面より低く、上部に切欠部を有し、第２の収納ボックスも同様の構成をしており、第１と第２の収納ボックスとが接続部で接続され、当該接続部の動作により、２つの収納ボックスを１８０°回転可能とし、持ち運ぶ（閉じた状態）時には、第１の収納ボックスの第１面と第２の収納ボックスの第１面とが外側に向いており、使用する（開いた状態）時には、接続部が第１の収納ボックスの第１面と第２の収納ボックスの第１面とを密着させるようにして、第１の収納ボックスの第２面と第２の収納ボックスの第２面とが外側を向くような構成としているので、持ち運ぶ時は第２面同士が接触して蓋部により閉じた状態で収納物が飛び出ることを防止でき、使用時は第１面同士を密着させ、上部に切欠部を有する第２面がそれぞれ外側にして開いた状態とし、収納物を取り出し易くできるものである。
【００１９】
［本バッグ：図１〜６］
本バッグの構成について図１〜６を参照しながら説明する。図１は、閉じた状態の正面図であり、図２は、閉じた状態の右側面図であり、図３は、閉じた状態の左側面図であり、図４は、開いた状態の正面図であり、図５は、開いた状態の背面図であり、図６は、開いた状態の左側面図である。
尚、閉じた状態の背面図は、図１と同様であるので省略する。
ここで、閉じた状態とは、２つの収納ボックスが向かい合わせ状態であり、開いた状態とは、２つの収納ボックスが背中合わせの状態である。そして、中間の９０°回転させた状態が、横並び状態である。
【００２０】
［閉じた状態（持ち運び時）：図１〜３］
本バッグは、図２，３に示すように、本体１が２つの収納ボックス１０，２０を備えている。
そして、図１〜３に示すように、収納ボックス１０（第１の収納ボックス）は、第１面１１と、その上側に設けられる蓋部１２ａと、合わせ部１３ａとを有している。
収納ボックス２０（第２の収納ボックス）は、第１面２１と、その上側に設けられる蓋部２２ａと、合わせ部２３ａとを有している。
【００２１】
蓋部１２ａ，２２ａは、閉じた状態では、収納物が飛び出さないようにカバーとなる部分である。
合わせ部１３ａ，２３ａは、マグネットにより接着し、貫通部１４ａ，２４ａが設けられて、全体として持ち手部となっている。
【００２２】
また、図３に示すように、閉じた状態の左側面では、２つの収納ボックス１０，２０が接している中央部分（第２面１５，２５）から収納ボックス１０，２０が分離して開くようになっている。
具体的には、収納ボックス１０の外側が第１面１１で、内側が第２面１５であり、第１面１１と第２面１５を第２の側面３１´が接続している。
収納ボックス２０の外側が第１面２１で、内側が第２面２５であり、第１面２１と第２面２５を第１の側面４１´が接続している。
【００２３】
また、図２に示すように、閉じた状態の右側面では、収納ボックス１０と収納ボックス２０とが接続片３１，３２，４１から成る接続部で接続しており、この接続部を中心に２つの収納ボックスが１８０°回転するように開き、閉じる構成となっている。
【００２４】
図２示すように、本バッグは、一方の側面に、収納ボックス１０の第１面１１と第２面１５とを接続する第１の側面部３１と、収納ボックス２０の第１面２１と第２面２５とを接続する第２の側面部４１と、収納ボックス１０の第１面１１と第１の側面部３１の接続辺に一方を接続し、収納ボックス２０の第２面２５と第２の側面部４１の接続辺に他方を接続する接続片３２，３３と、収納ボックス２０の第１面２１と第２の側面部４１の接続辺に一方を接続し、収納ボックス１０の第２面１５と第１の側面部３１の接続辺に他方を接続する接続片４２とを備えている。
【００２５】
尚、収納ボックス１０の第２面１５、収納ボックス２０の第２面２５は、図２では描かれていないが、図４以降に示されている。
開く態様については後述する。
【００２６】
［開いた状態（使用時）：図４〜６］
本バッグの開いた状態は、図４〜６に示すように、収納ボックス１０，２０の収納スペースが外側に露出した状態である。
図４に示すように、収納ボックス１０においては、第１面１１に対向する第２面１５と、蓋部１２ａの裏面となる蓋部１２ｂと、合わせ部１３ａの裏面となる合わせ部１３ｂとを有している。
また、図５に示すように、収納ボックス２０においては、第１面２１に対向する第２面２５と、蓋部２２ａの裏面となる蓋部２２ｂと、合わせ部２３ａの裏面となる合わせ部２３ｂとを有している。
【００２７】
ここで、図４，５に示すように、収納ボックス１０の第２面１５は、文房具等の小物を取り出し易くするために、第１面１１と同じ形状ではなく、上部に切欠部が形成されており、同様に収納ボックス２０の第２面２５も上部に切欠部が形成されている。図４，５では、右側部分が下側まで切り欠かれて大きな切欠部を形成し、左側部分が中央より少し上までの切欠部となっている。
また、第２面１５，２５の左右の端辺に近い部分には、切欠部は形成されておらず、収納された物品が落ちないようになっている。
【００２８】
収納ボックス１０の第２面１５には平面状のマグネット１７が内部に取り付けられ、収納ボックス２０の第２面２５には平面状のマグネット２７が内部に取り付けられ、閉じた状態では、マグネット１７とマグネット２７が接着して、第２面１５と第２面２５とが密着して固定されるようになっている。
【００２９】
また、合わせ部１３ｂには、マグネット１６ａ，１６ｂが設けられており、合わせ部２３ｂには、マグネット２６ａ，２６ｂが設けられており、これらマグネットの吸着によって合わせ部１３ｂと合わせ部２３ｂとが接着する。
マグネット１６ａ，１６ｂ，１７，２６ａ，２６ｂ，２７は、請求項において接着部に相当している。
【００３０】
合わせ部１３ｂ，２３ｂの接着により、図６に示すように、開いた状態では、蓋部１２ｂ，２２ｂも接して垂直に立った状態になる。
つまり、収納ボックス１０の第１面１１、蓋部１２ｂ、合わせ部１３ｂと、収納ボックス２０の第１面２１、蓋部２２ｂ、合わせ部２３ｂとが一体となって直立し、図１〜３に示した、閉じた状態に比べて全体の高さは高くなる。この場合、収納ボックス１０，２０では、上方向が解放されており、更に第２面１５，２５の切欠部によって、収納物を容易に取り出すことができる構成となる。
【００３１】
また、マグネット１６ａ，１６ｂとマグネット２６ａ．２６ｂによって２つの収納ボックスが第１面１１と第１面２１が密着して立った状態になるため、収納物の出し入れ時にも安定して使用できるものである。
【００３２】
開いた状態での接続部は、図６示すように、図２の閉じた状態から１８０°回転した状態であるため、図６で見えている接続片３２，３３，４２の面は、図２に示した接続片３２，３３，４２の裏側の面である。
尚、図６において、収納ボックス１０の第１面１１と、収納ボックス２０の第１面２１とは現われていないため、記載を省略している。
ここで、
【００３３】
［使用状態：図７〜１０］
本バッグの使用状態について、特に閉じた状態から開いた状態に変化させる態様について図７〜１０を参照しながら説明する。図７は、使用状態１を示す概略図であり、図８は、使用状態２を示す概略図であり、図９は、使用状態３を示す概略図であり、図１０は、使用状態４を示す概略図である。
【００３４】
［使用状態１：図７］
図７では、閉じた状態から接着している合わせ部１３ａと合わせ部２３ａを引き離し、上側を開けた状態を示している。図７では、合わせ部２３ａの裏面の合わせ部２３ｂと、蓋部２２ａの裏面の蓋部２２ｂが現われている。
【００３５】
［使用状態２：図８］
図８では、密着している収納ボックス１０の第２面１５と収納ボックス２０の第２面２５を引き離し、右側の接続部を中心に回転させるように少し開いた状態となっている。
具体的には、収納ボックス１０の第２面１５における接続部側の端辺と収納ボックス２０の第２面２５における接続部側の端辺を軸として、収納ボックス１０，２０が開くようになる。
尚、収納ボックス１０の第２面１５における接続部側の端辺は、請求項における「第１の収納ボックスの第２面と第１側面との接続辺」であり、収納ボックス２０の第２面２５における接続部側の端辺は、請求項における「第２の収納ボックスの第２面と第２側面との接続辺」である。
【００３６】
このままの状態で９０°まで収納ボックス１０，２０を開くと、収納ボックス１０，２０が横並びとなり、第１の側面部３１と接続片４２が接し、第２の側面部４１と接続片３２，３３が接して、第１の側面３１と第２の側面４１が接続片３２，３３，４２を介して密着するようになる。
【００３７】
本バッグの特徴として、ここで中心軸を変えて、更に回転軸を続けることができるようになっている。
つまり、今度は、収納ボックス１０の第１面１１における接続部側の端辺と収納ボックス２０の第１面２１における接続部側の端辺を軸として、収納ボックス１０，２０が開くようになる。
尚、収納ボックス１０の第１面１１における接続部側の端辺は、請求項における「第１の収納ボックスの第１面と第１側面との接続辺」であり、収納ボックス２０の第１面２１における接続部側の端辺は、請求項における「第２の収納ボックスの第１面と第２側面との接続辺」である。
【００３８】
［使用状態３：図９］
図９では、図８の状態から更に開いて１３０°程度回転させ、第２面１５と第２面２５が外側に出るようにしている。
図９に示すように、この状態での回転の中心軸は、第１面１１における接続部側の端辺と、第１面２１における接続部側の端辺とになっている。
ここで、図９で見えている接続片３２，３３，４２は、図７，８で見えていた接続片３２，３３，４２の裏面である。
【００３９】
［使用状態４：図１０］
図１０では、１８０°開いて、収納ボックス１０の第１面１１と、収納ボックス２０の第１面２１が接するようにし、蓋部１２ｂ，２２ｂも接し、合わせ部１３ｂ，２３ｂが接着して、第１面１１，２１と蓋部１２ｂ，２２ｂと合わせ部１３ｂ，２３ｂが垂直に立った構成となる。
【００４０】
開いた状態では、第２面１５，２５の上側の一部が切り取られた形状（切欠部）となっており、収納ボックス１０，２０の解放状態と併せて、収納物の筆記具等の文房具を取り出し易い構成としている。また、収納ボックス１０，２０は、内側に仕切り部が形成されており、文房具を分けて収納できるものとなっている。
【００４１】
［接続部：図１１］
本バッグの特徴部分である接続部を具体的に説明する。
接続部については、閉じた状態の側面を図２に、開いた状態の側面を図６に示して説明したが、ここでは更に図１１を参照しながら詳細に説明する。図１１は、接続部を真上から見た概略図である。図１１では、接続片３３と接続片４２が示されており、接続片３２は示されていないが、接続片３３の動きと同じである。
【００４２】
接続部において、収納ボックス１０の第１面１１と第２面１５を接続する第１の側面部３１が形成され、収納ボックス２０の第１面２１と第２面２５を接続する第２の側面部４１が形成されている。
【００４３】
そして、第１面１１の接続部側の端辺と第２面２５の接続部側の端辺を第１の接続片３２，３３で接続し、第２面１５の接続部側の端辺と第１面２１の接続部側の端辺を第２の接続片４２で接続している。
【００４４】
接続片３２，３３，４２は、第１の側面部３１の幅又は第２の側面部４１の幅より少し長めの幅となっている。本バッグでは、第１の側面部３１の幅と第２の側面部４１の幅は、同じ長さとしているが、側面部の幅が異なる場合には、長い方の幅より接続片を少し長い幅とする。
図２，６〜１０に示すように、接続片４２は、２つの接続片３２，３３の間に形成されている。
【００４５】
図１１（ａ）〜（ｃ）に示すように、閉じた状態から９０°まで開く場合は、収納ボックス１０の第２面１５における接続部側の端辺（辺ａ）と収納ボックス２０の第２面２５における接続部側の端辺（辺ｂ）を軸として回転する。
図１１では、真上から見ているため、角部分の辺ａ、辺ｂは、紙面手前から奥に向かって延びている辺である。
【００４６】
図１１（ｃ）〜（ｅ）に示すように、９０°〜１８０°で開く場合は、収納ボックス１０の第１面１１における接続部側の端辺（辺ｃ）と収納ボックス２０の第１面２１における接続部側の端辺（辺ｄ）を軸として回転する。角部分の辺ｃ、辺ｄも、紙面手前から奥に向かって延びている辺である。
９０°開いた図１１（ｃ）の状態では、辺ａ，ｂ又は辺ｃ，ｄのどちらかを軸として、いずれの方向にも回転可能となる。
【００４７】
接続片３２，３３，４２は、９０°以降開く場合には、裏面が外側に現われる。
例えば、図１１（ａ）（ｂ）では、接続片３２，３３は、収納ボックス１０の第１の側面部３１を覆い、接続片４２は、収納ボックス２０の第２の側面部４１を覆うようになっているが、図１１（ｄ）（ｅ）では、接続片４２は、収納ボックス１０の第１の側面部３１を覆い、接続片３２，３３は、収納ボックス２０の第２の側面部４１を覆うようになっている。
【００４８】
このような構成にすることで、接続部は、２つの収納ボックス１０，２０を１８０°回転させて、開いた状態で第１面１１と第１面２１を密着させ、閉じた状態で第２面１５と第２面２５を密着させることができる。
接続片３２，３３の２つを設けたが、いずれか１つであってもよい。また、接続片３２，３３との間に接続片４２を１つ設けたが、接続片を更に複数とし、交互に配置するようにしてもよいし、交互に配置しなくてもよい。
【００４９】
［別の実施の形態：図１２］
次に、別の実施の形態に係るバッグ（別のバッグ）について図１２を参照しながら説明する。図１２は、別のバッグの開いた状態の背面図である。
別のバッグは、基本的には、本バッグと同様であり、相違する部分は、持ち手部の貫通部１４ｂを横側に広くして、その上側に持ち手ベルト４０を形成したものである。
持ち手ベルト４０は、持ち上げたときに型崩れしない程度の硬さの素材を用いており、合わせ部２３ａに固定されている。
【００５０】
また、蓋部には強度を保持するために、鉄板２８ａ，２８ｂがマグネット２６ａ，２６ｂの下側に埋め込まれている。
また、収納ボックス２０の第１面２１の内側には、ポケット３０が設けられ、上側から小物を挿入できる構成となっている。
【００５１】
また、収納ボックス２０の第２面２５の左下には、収納ボックス１０の第２面１５に形成されたマグネット（例えば、図４に示したマグネット１７）に接着する鉄板２８ｃが埋め込まれている。鉄板２８ｃは、請求項における接着部に相当している。
【００５２】
そして、第２面２５の内側面には、面ファスナー２９が形成されており、更に第１面２１の内側にも同様の面ファスナーが形成されていて、両方の面ファスナーを接続するコの字形状の仕切り板が取り付けられるようになっている。仕切り板は、面ファスナーに接触する部分に対応する接着面を備えている。
面ファスナー２９の右側の濃い破線部分から奥方向に仕切り板が設けられるものである。仕切り板は、取り外しが可能であるため、装着すれば仕切って使用でき、取り外せば内側を広く使用できる。
【００５３】
［異なるバッグ：図１３，１４］
更に、異なる実施の形態に係るバッグ（異なるバッグ）について図１３，１４を参照しながら説明する。図１３は、ファスナーをしめた状態の天面図であり、図１４は、ファスナーをしめた状態の右側面図である。
異なるバッグは、図１３，１４に示すように、蓋部１２ｃ，２２ｃの上側の端辺にファスナー５０を形成し、ファスナー５０をしめることで蓋部１２ｃと蓋部２２ｃが収納ボックス１０，２０の開口部を完全に閉じるものである。
【００５４】
従って、異なるバッグは、合わせ部が形成されておらず、持ち手部を備えていないものである。
ここで、ファスナー５０は、一方が開放するオープンファスナーであり、ファスナー５０の左端部は開放可能となっている。
図１３の右側が接続部となっており、ファスナー５０を開いた状態で２つの収納ボックスが１８０°回転するものである。
接続部は、図１４に示すようになっており、基本的な構成は、本バッグと同様となっている。
【００５５】
［収納状態の概略図：図１５〜１７］
次に、本バッグの収納状態について、図１５〜１７を参照しながら説明する。図１５は、本バッグの収納状態を示す概略図であり、図１６は、収納状態を示す右側面図であり、図１７は、棚に収納した例を示す図である。
収納状態の本バッグは、図１５に示すように、第１の収納ボックス１０の第２面１５と第２の収納ボックス２０の第２面２５が接触した状態で、外側の第１面１１に接続する蓋部１２ａと合わせ部１３ａを２つの収納ボックス１０，２０の上に覆うように被せ、続いて外側の第１面２１に接続する蓋部２２ａと合わせ部２３ａを、蓋部１２ａと合わせ部１３ａを覆うように被せる。
図１５では、上面に貫通部１４ａが現われている。
【００５６】
そして、接続部は右側面に形成され、その反対側の左側面において、第２の側面３１´には透明素材の見出しポケット３５が形成され、見出しポケット３５の上部から見出し６０が挿入可能となっている。
図１５では、見出しポケット３５を第２の側面３１´に形成したが、第１の側面４１´に形成してもよく、第２の側面３１´及び第１の側面４１´の両方に形成してもよい。
【００５７】
また、収納状態の右側面は、図１６に示すように、基本的には図２と同様であり、持ち運び時の閉じた状態と相違するのは、上面での収納状態である。
収納状態の構成は、図１５で説明した通りであり、その他の構成は、図２と同様であるので省略する。
【００５８】
更に、この収納状態の本バッグを棚に収納した例を図１７に示す。図１７に示すように、本バッグの高さが、第１面１１，２１、第２面１５，２５の高さ程度になるよう最もコンパクトにすることができ、収納に適した形態となるものである。
尚、図１７では、見出しポケットが表側となるよう棚に収納している。
【００５９】
［実施の形態の効果］
本バッグ及び別のバッグによれば、閉じた状態で、合わせ部１３ａ，２３ａが接着し、蓋部１２ａ，２２ａが収納ボックス１０，２０をカバーするため、収納物が飛び出ることがなく、持ち運びを容易にし、２つの収納ボックスを１８０°回転させて開いた状態にすると、第１面１１と第１面２１が密着して、切欠部を有する第２面１５，２５が外側になり、蓋部１２ｂ，２２ｂと合わせ部１３ｂ，２３ｂが接して垂直に立つようになるため、収納ボックス１０，２０から文房具が取り出し易い構成を実現できる効果がある。
【００６０】
また、異なるバッグによれば、蓋部１２ｃ，２２ｃの端辺にファスナー５０を形成し、ファスナー５０の開閉で蓋をし、ファスナー５０を開いた状態で２つの収納ボックスを１８０°回転させるようにしているので、１８０°回転させた状態にすれば、収納ボックス１０，２０から文房具が取り出し易くできる効果がある。
【産業上の利用可能性】
【００６１】
本発明は、持ち運び時及び収納物の使用時の双方で使い勝手を向上させたバッグに好適である。
【符号の説明】
【００６２】
１…本体、  １０…第１の収納ボックス、  １１…第１面、  １２ａ，１２ｂ，１２ｃ…蓋部、  １３ａ，１３ｂ…合わせ部、  １４ａ，１４ｂ…貫通部、  １５…第２面、  １６ａ，１６ｂ…マグネット、  １７…マグネット、  ２０…第２の収納ボックス、  ２１…第１面、  ２２ａ，２２ｂ，２２ｃ…蓋部、  ２３ａ，２３ｂ…合わせ部、  ２４ａ…貫通部、  ２５…第２面、  ２６ａ，２６ｂ…マグネット、  ２７…マグネット、  ２８ａ，２８ｂ，２８ｃ…鉄板、  ２９…面ファスナー、  ３０…ポケット、  ３１…第１の側面部、  ３１´…第２の側面、  ３２，３３…接続片、  ３５…見出しポケット、  ４０…持ち手ベルト、  ４１…第２の側面部、  ４１´…第１の側面、  ４２…接続片、  ５０…ファスナー、  ６０…見出し
【図１】
2019017897.tif 000003
【図２】
2019017897.tif 000004
【図３】
2019017897.tif 000005
【図４】
2019017897.tif 000006
【図５】
2019017897.tif 000007
【図６】
2019017897.tif 000008
【図７】
2019017897.tif 000009
【図８】
2019017897.tif 000010
【図９】
2019017897.tif 000011
【図１０】
2019017897.tif 000012
【図１１】
2019017897.tif 000013
【図１２】
2019017897.tif 000014
【図１３】
2019017897.tif 000015
【図１４】
2019017897.tif 000016
【図１５】
2019017897.tif 000017
【図１６】
2019017897.tif 000018
【図１７】
2019017897.tif 000019